(57)【要約】      （修正有）【課題】洗顔クリーム等の洗剤を泡立てるのに使用する泡立て具を提供する。【解決手段】筒ネット１の一端を折返し、両端重ね端部５Ｃ及び折返端部５Ｄを有する二重筒ネット本体５を形成する。二重筒ネット本体５内側に環状帯部材２を配置し、環状帯部材２の抜止結び目部２Ａを両端重ね端部５Ｃ側に位置し、環状帯部材２の環状帯部を折返端部５Ｂ側に位置する。結束部材３で二重筒ネット本体５外側から両端重ね端部５Ｃ側及び環状帯部２Ｂの一部を結束して、両端重ね端部５Ｃ側を閉鎖する。両端重ね端部５Ｃを閉鎖した二重筒ネット本体５を裏返し、両端重ね端部５Ｃ、抜止結び目部２Ａ及び結束部材５を二重筒ネット本体５内側に配置し、環状帯部材２の環状帯部２Ｂを二重筒ネット本体５外側に配置して、泡立て具Ｘ１を構成する。二重筒ネット本体５外側の環状帯部２Ｂには、泡立て具Ｘ１の所有者の識別情報Ｙ１を付する領域Ｙを有して成る。【選択図】図１
0003187239.tif 000002
【実用新案登録請求の範囲】
【請求項１】
［Ａ］合成樹脂材又は合成樹脂繊維で網状に形成し、通気性及び通水性を有する柔軟な筒ネットと、
帯状布帛の両端部又は一端部を結んで、抜止結び目部及び帯部を形成する柔軟な帯部材と、
結束部材と、
を備え、
［Ｂ］前記筒ネット一端を他端に折返して、前記筒ネット両端を重ねる両端重ね端部、及び折返端部を有する二重筒ネット本体を形成し、
前記帯部材を前記二重筒ネット本体内側に配置して、前記抜止結び目部を前記両端重ね端部側に位置、及び前記帯部を前記折返端部側に位置し、
前記結束部材を前記二重筒ネット本体外側から前記二重筒ネット本体内の前記帯部に対峙し、
前記結束部材で前記両端重ね端部側及び前記帯部の一部を結束しつつ、前記結束部材及び前記抜止結び目部で前記帯部材を抜止して、前記両端重ね端部を閉鎖し、
前記両端重ね端部を閉鎖した前記二重筒ネット本体を裏返し、前記両端重ね端部、前記結束部材を前記二重筒ネット本体内側に配置、及び前記帯部を前記二重筒ネット本体外側に配置して、
構成される泡立て具であって、
［Ｃ］前記帯部材は、
前記二重筒ネット本体外側の前記帯部に、前記泡立て具の所有者の識別情報を付する領域を有して成る
ことを特徴とする泡立て具。
【請求項２】
［ａ］合成樹脂材又は合成樹脂繊維で網状に形成し、通気性及び通水性を有する柔軟な筒ネットと、
柔軟な紐部材と、
を備え、
［ｂ］前記筒ネット一端を他端に折返して、外側筒ネット部及び内側筒ネット部の二重筒となし、前記筒ネット両端を重ねる両端重ね端部、及び折返端部を有する二重筒ネット本体を形成し、
前記両端重ね端部側を熱溶着して、前記両端重ね端部を閉鎖し、
前記両端重ね端部を閉鎖した前記二重筒ネット本体を裏返して、前記両端重ね端部を前記二重筒ネット本体内側に配置し、
裏返した前記二重筒ネット本体において、前記紐部材は、前記折返端部側の前記各筒ネット部間に挿通され、前記二重筒ネット本体の略全周又は前記紐部材の一部を前記二重筒ネット本体外側に配置して、前記紐部材の両端部を前記二重筒ネット本体外側に引出し、
引出した前記紐部材の両端部を結んで、前記各筒ネット部間及び前記二重筒ネット本体外側に配置される環状紐部材に形成して、
構成される泡立て具であって、
［ｃ］前記環状紐部材は、
前記二重筒ネット本体外側の部位に、前記泡立て具の所有者の識別情報を付する領域を有して成る
ことを特徴とする泡立て具。
【考案の詳細な説明】
【技術分野】
【０００１】
本考案は、洗顔クリーム、固形石鹸、液体石鹸（ボディーシャンプ）等の洗剤を泡立てるために使用する泡立て具に関する。
【背景技術】
【０００２】
泡立て具として、特許文献１は、織物袋内に球体を収納した泡立て具を開示する。この泡立て具において、球体は表面に凹凸を形成して成る。織物袋は、縦糸及び横糸で織られ、縦横の長さを３００μｍ以下の織り目を有する。織物袋の開口は、紐で結束して閉鎖される。
特許文献１の泡立て具において、使用者は、織物袋外側から織物袋内の球体を繰返し掴んで、織物袋を揉むことで、織物袋に付着した石鹸等の洗剤を泡立てる。
【先行技術文献】
【特許文献】
【０００３】
【特許文献１】特開２０００−１１８５６６号公報
【考案の概要】
【考案が解決しようとする課題】
【０００４】
しかしながら、特許文献１の泡立て具では、他人の泡立て具と識別することができず、使用の際、他人の泡立て具と取り間違える虞がある。
【０００５】
本考案は、他人の泡立て具の取り間違いをすることなく、使用後に素早く乾燥できる泡立て具を提供することになる。
【課題を解決するための手段】
【０００６】
本考案に係る請求項１は、［Ａ］合成樹脂材又は合成樹脂繊維で網状に形成し、通気性及び通水性を有する柔軟な筒ネットと、帯状布帛の両端部又は一端部を結んで、抜止結び目部及び帯部を形成する柔軟な帯部材と、結束部材とを備え、［Ｂ］前記筒ネット一端を他端に折返して、前記筒ネット両端を重ねる両端重ね端部、及び折返端部を有する二重筒ネット本体を形成し、前記帯部材を前記二重筒ネット本体内側に配置して、前記抜止結び目部を前記両端重ね端部側に位置、及び前記帯部を前記折返端部側に位置し、前記結束部材を前記二重筒ネット本体外側から前記二重筒ネット本体内の前記帯部に対峙し、前記結束部材で前記両端重ね端部側及び前記帯部の一部を結束しつつ、前記結束部材及び前記抜止結び目部で前記帯部材を抜止して、前記両端重ね端部を閉鎖し、前記両端重ね端部を閉鎖した前記二重筒ネット本体を裏返し、前記両端重ね端部、前記結束部材を前記二重筒ネット本体内側に配置、及び前記帯部を前記二重筒ネット本体外側に配置して構成される泡立て具であって、［Ｃ］前記帯部材は、前記二重筒ネット本体外側の前記帯部に、前記泡立て具の所有者の識別情報を付する領域を有して成ることを特徴とする泡立て具に関する。
【０００７】
本考案に係る請求項２は、［ａ］合成樹脂材又は合成樹脂繊維で網状に形成し、通気性及び通水性を有する柔軟な筒ネットと、柔軟な紐部材とを備え、［ｂ］前記筒ネット一端を他端に折返して、外側筒ネット部及び内側筒ネット部の二重筒となし、前記筒ネット両端を重ねる両端重ね端部、及び折返端部を有する二重筒ネット本体を形成し、前記両端重ね端部側を熱溶着して、前記両端重ね端部を閉鎖し、前記両端重ね端部を閉鎖した前記二重筒ネット本体を裏返して、前記両端重ね端部を前記二重筒ネット本体内側に配置し、裏返した前記二重筒ネット本体において、前記紐部材は、前記折返端部側の前記各筒ネット部間に挿通され、前記二重筒ネット本体の略全周又は前記紐部材の一部を前記二重筒ネット本体外側に配置して、前記紐部材の両端部を前記二重筒ネット本体外側に引出し、引出した前記紐部材の両端部を結んで、前記各筒ネット部間及び前記二重筒ネット本体外側に配置される環状紐部材に形成して構成される泡立て具であって、［ｃ］前記環状紐部材は、前記二重筒ネット本体外側の部位に、前記泡立て具の所有者の識別情報を付する領域を有して成ることを特徴とする泡立て具に関する。
【考案の効果】
【０００８】
本考案に係る請求項１は、二重筒ネット本体（筒ネット）、帯部材及び結束部材を一体にして泡立て具を構成する。泡立て具は、二重筒ネット本体において、結束部材で結束した側（両端重ね端部側）を閉鎖端とし、折返端部を開口端とする。両端重ね端部側を閉塞した二重筒ネット本体は、閉塞端（両端重ね端部側）から開口端（折返端部）に向けて末広がるスカート状に形成される。泡立て具は、二重筒ネット本体内に収容空間を区画し、収容空間を開口端（折返端部）に開口する。泡立て具において、帯部材は、帯部を二重筒ネット本体外側に配置する。
泡立て具を使用する者（以下、「使用者」という）は、泡立て具に水（又はお湯）をかける。続いて、使用者は、固形石鹸の洗剤を二重筒ネット本体外側に擦り付け、又は洗顔クリーム、液体石鹸等の洗剤を二重筒ネット本体にかける。そして、使用者は、洗剤等の付着した二重筒ネット本体を手で揉むことで、洗剤を泡立てることができる。また、使用者は、固形石鹸を二重筒ネット本体内（収容空間）に挿入し、固形石鹸及び二重筒ネット本体を手で揉むことで、固形石鹸を泡立てることもできる。
使用者が二重筒ネット本体を揉む際、両端重ね端部側（筒ネットの両端）、帯部材の抜止結び目部、及び結束部材は二重筒ネット本体内側に配置されるので、使用者の手に直接接触しない。
泡立て具は、例えば、帯状布帛の両端部を結んで、抜止結び目部及び環状帯部を形成する環状帯部材とする。使用者は環状帯部材の環状帯部を浴室等に配されるフックに掛けることで、吊下げて保管できる。また、泡立て具の使用後、二重筒ネット本体から洗剤を洗い流し、泡立て具を吊下げて保管することで、泡立て具を素早く乾燥でき、カビ等の発生を抑制して衛生的である。このとき、環状帯部材は、結束部材による結束、抜止結び目及び結束部材の当接によって二重筒ネット本体から抜出ない。
使用者は、帯部の識別情報を目視することで、自己の泡立て具を認識でき、他人の泡立て具と取り間違えない。
【０００９】
本考案に係る請求項２は、二重筒ネット本体（筒ネット）、環状紐部材（紐部材）を一体にして泡立て具を構成する。泡立て具は、二重筒ネット本体において、熱溶着した側（両端重ね端部側）を閉鎖端とし、折返端部を開口端とする。両端重ね端部側を閉鎖した二重筒ネット本体は、二重筒ネット本体内に収容空間を区画し、収容空間を開口端（折返端部）に開口する。環状紐部材は、折返端部側において、二重筒ネット本体の各筒ネット部間、及び二重筒ネット本体外側に配置される。裏返した二重筒ネット本体において、環状紐部材は、折返端部側の各筒ネット部間に挿通され、二重筒ネット本体の略全周又は紐部材の一部を二重筒ネット本体外側に配置される。
泡立て具を使用する者（以下、「使用者」という）は、泡立て具に水（又はお湯）をかける。続いて、使用者は、固形石鹸の洗剤を二重筒ネット本体外側に擦り付け、又は洗顔クリーム、液体石鹸等の洗剤を二重筒ネット本体にかける。そして、使用者は、洗剤等の付着する泡立て具を手で揉むことで、洗剤を泡立てることができる。また、使用者は、固定石鹸の洗剤を二重筒ネット本体内（収容空間内）に挿入し、固形石鹸及び二重筒ネット本体を手で揉むことで、固形石鹸を泡立てることもできる。
更に、使用者は、二重筒ネット本体外側の環状紐部材を掴んで、折返端部側を環状紐部材に沿って移動することで、二重筒ネット本体の折返端部を窄めたり、広げたりできる。これにより、固形石鹸を二重筒ネット本体の収容空間に挿入し、折返端部を窄めることで、固形石鹸を二重筒ネット本体から抜出すことなく、二重筒ネット本体及び固形石鹸を揉んで、固形石鹸を泡立てることもできる。
使用者が二重筒ネット本体を揉む際、両端重ね端部（筒ネットの両端）は二重筒ネット本体内側に配置されるので、使用者の手に直接接触しない。
泡立て具は、環状紐部材を浴室等に配されるフックに掛けることで、吊下げて保管できる。また、泡立て具の使用後、二重筒ネット本体から洗剤を洗い流し、泡立て具を吊下げて保管することで、泡立て具を素早く乾燥でき、カビ等の発生を抑制して衛生的である。
更に、泡立て具において、環状紐部材は、閉鎖端側でなく、開口端側（折返端部側）に配置しているので、固形石鹸の洗剤を二重筒ネット本体内に収容して、環状紐部材をフック等に掛けることで、固形石鹸を収納したまま泡立て具を吊下げ保持できる。
使用者は、環状紐部材の識別情報を目視することで、自己の泡立て具を認識でき、他人の泡立て具と取り間違いしない。
【図面の簡単な説明】
【００１０】
【図１】第１実施形態の泡立て具を示す斜視図である。
【図２】第１実施形態の泡立て具を示す図であって、（ａ）は筒ネットの斜視図、（ｂ）は環状帯部材の二面図、（ｃ）は結束部材の二面図である。
【図３】二重筒ネット本体を示す図であって、（ａ）は斜視図、（ｂ）は断面図である。
【図４】環状帯部材及び二重筒ネット本体を示す図であって、（ａ）は環状帯部材を二重筒ネット本体に配置する前の斜視図、（ｂ）は環状帯部材を二重筒ネット本体内側に配置した斜視図である。
【図５】結束部材で両端重ね端部側、及び環状帯部の一部を結束した図であって、（ａ）は斜視図、（ｂ）は要部拡大図である。
【図６】第１実施形態の泡立て具の他の例を示す斜視図である。
【図７】第２実施形態の泡立て具を示す斜視図である。
【図８】第２実施形態の泡立て具を示す図であって、（ａ）は筒ネットの斜視図、（ｂ）は紐部材の図である。
【図９】二重筒ネット本体を示す図であって、（ａ）は両端重ね端部を熱溶着した斜視図、（ｂ）は両端重ね端部を閉鎖した二重筒ネット本体を裏返した斜視図である。
【図１０】紐部材を二重筒ネット本体に配置した図であって、（ａ）は斜視図、（ｂ）は拡大断面図である。
【図１１】第２実施形態の泡立て具の他の例を示す図であって、（ａ）は斜視図、（ｂ）は拡大断面図である。
【考案を実施するための形態】
【００１１】
本考案に係る泡立て具について、図１乃至図１１を参照して説明する。
以下、第１及び第２実施形態の泡立て具を説明する。
【００１２】
図１乃至図１１において、第１及び第２実施形態の泡立て具Ｘ１，Ｘ２は、洗顔クリーム、固形石鹸、液体石鹸等の洗剤を泡立てるために使用する。
【００１３】
＜第１実施形態＞
以下、第１実施形態の泡立て具Ｘ１について、図１乃至図６を参照して説明する。
【００１４】
図１乃至図５において、第１実施形態の泡立て具Ｘ１（以下、「泡立て具Ｘ１」という）は、筒ネット１、帯部材２及び結束部材３を備える。
【００１５】
筒ネット１は、図２（ａ）に示すように、両端１Ａ，１Ｂの開口（両端開口）する筒状に形成される。
筒ネット１は、合成樹脂材又は合成樹脂繊維で網状に形成し、複数網目を有する。
筒ネット１は、合成樹脂材又は合成樹脂線で複数網目を形成することによって通気性、通水性及び柔軟性を備える。
【００１６】
帯部材２は、図２（ｂ）に示すように、帯状布帛で形成される。
帯部材２は、抜止結び目部２Ａ及び帯部２Ｂを有し、帯状布帛の両端部２ａ，２ｂを結んで抜止結び目２Ａ及び環状の帯部２Ｂ（以下、「環状帯部２Ｂ」という）を形成する。
帯部材２（以下、「環状帯部材２」という）は、帯状布帛によって柔軟性を備える。
【００１７】
結束部材３は、図２（ｃ）に示すように、例えば結束バンドで構成される。なお、結束部材３は、結束バンドに限定されず、筒ネット１及び環状帯部材２（環状帯部２Ｂ）を結束できるもの、例えば紐等であっても良い。
【００１８】
図１乃至図５において、泡立て具Ｘ１は、筒ネット１、環状帯部材２及び結束部材３を一体にして構成され、以下、具体的に説明する。
【００１９】
先ず、第１段階として、筒ネット１一端１Ｂを他端１Ａに折返し、両端１Ａ，１Ｂを重ねる（図３参照）。
筒ネット１は、外側筒ネット部５Ａ及び内側筒ネット部５Ｂの二重筒となり、二重筒ネット本体５に形成される。二重筒ネット本体５は、両端開口に形成され、両端重ね端部５Ｃ及び折返端部５Ｄを有する。両端重ね端部５Ｃは、筒ネット１の両端１Ａ，１Ｂの重なる端部である。折返端部５Ｄは、筒ネット１一端１Ｂを他端１Ａに向けて折返した端部である（図３参照）。
【００２０】
第２段階として、環状帯部材２を二重筒ネット本体５内側（内側筒ネット部５Ｂ内側）に配置する。環状帯部材２は、二重筒ネット本体５の両端重ね端部５Ｃ側に配置され、抜止結び目部２Ａを両端重ね端部５Ｃ側に位置し、及び環状帯部５Ｄを折返端部５Ｄ側に位置する（図４参照）。
環状帯部材２は、図４（ｂ）に示すように、二重筒ネット本体５の中心軸ａ上に配置する。
【００２１】
第３段階として、二重筒ネット本体５の両端重ね端部５Ｃ側を全周にわたって、環状帯部材３（二重筒ニット本体５の中心線ａ）に束ねる（図５参照）。
続いて、結束部材３を二重筒ネット本体５外側に配置する。結束部材３は、二重筒ネット本体２外側から二重筒ネット本体２内の環状帯部２Ｂに対峙し、両端重ね端部５Ｃ側の全周にわたって環状に曲げられて配置される（図５参照）。
続いて、結束部材３で二重筒ネット本体５の両端重ね端部５Ｃ側、及び二重筒ネット本体５内の環状帯部２Ｂの一部を結束する。結束部材３は、二重筒ネット本体５外側から両端重ね端部５Ｃ側及び環状帯部２Ｂの一部を結束する。
結束部材３は、折返端部５Ｄ側から抜止結び目部２Ａに並設される。結束部材３は、両端重ね端部５Ｃ側、及び環状帯部２Ｂの一部を結束しつつ、両端重ね端部５Ｃ（各筒ネット部５Ａ，５Ｂ）を通して抜止結び目部２Ａに当接される。このとき、結束部材３は、抜止結び目部２Ａより小径の環状に曲げられて両端重ね端部５Ｃ及び環状帯部２Ｂの一部を結束し、二重筒ネット本体５の折返端部５Ｄ側から抜止結び目部２Ａに当接する。
これにより、結束部材３及び抜止結び目部２Ａは、環状帯部材３を抜止する。
二重筒ネット本体５は、結束部材３の結束によって両端重ね端部５Ｃ側を閉鎖する。二重筒ネット体５は、折返端部５Ｄで開口する（図５参照）。
【００２２】
第４段階において、両端重ね端部５Ｃを閉鎖した二重筒ネット本体５を裏返す［図５（ａ）参照］。
二重筒ネット本体５の折返端部５Ｄを両端重ね端部５Ｃ（結束部材３、抜止結び目部２Ａ）側に裏返し、両端重ね端部５Ｃ、抜止結び目部２Ａ及び結束部材３を裏返した二重筒ネット本体５内側（内側筒ネット部内側）に配置する。また、二重筒ネット本体５の裏返によって、環状帯部２Ｂを二重筒ネット本体５外側に配置する（図１参照）。
なお、両端重ね端部５Ｃ側を閉鎖した二重筒ネット本体５を裏返すと、裏返前の外側筒ネット部５Ａは内側筒ネット部となり、裏返前の内側筒ネット部５Ｂは外側筒ネット部となる。
このように、泡立て具Ｘ１は、上記第１乃至第４段階を経て筒ネット１、環状帯部材２及び結束部材３を一体にして構成される。
【００２３】
泡立て具Ｘ１は、図１に示すように、二重筒ネット本体５（筒ネット１）、環状帯部材２、及び結束部材３で構成され、二重筒ネット本体５において、結束部材３で結束した側（両端重ね端部５Ｃ側、環状帯部２Ｂ側）を閉塞端とし、折返端部５Ｄを開口端とする。
二重筒ネット本体５は、結束部材３で両端重ね端部５Ｃ側を結束（絞り結束）されているので、閉塞端（両端重ね端部５Ｃ側）から折返端部５Ｄに向けて末広がるスカート状に形成される。
また、泡立て具Ｘ１は、二重筒ネット本体５内側に収容空間Ｗ１を区画する。収容空間Ｗ１は、二重筒ネット本体１の開口端（折返端部５Ｄ）に開口する。
泡立て具Ｘ１において、環状帯部材２は、図１に示すように、環状帯部２Ｂを二重筒ネット本体５外側に配置する。環状帯部２Ｂは、二重筒ネット本体５の中心線ａに沿って、二重筒ネット本体５の閉鎖端から延出される。
泡立て具Ｘ１において、環状帯部材２は、図１に示すように、二重筒ネット本体５外側の環状帯部２Ｂに、泡立て具Ｘ１の所有者の識別情報Ｙ１を付する領域Ｙ（以下、「識別情報領域Ｙ」という）を有して成る。
識別情報領域Ｙは、環状帯部２Ｂの帯表面２ｃとされ、環状帯部２Ｂの帯幅Ｈ及び帯長Ｌで規定される。識別情報Ｙ１は、例えば、泡立て具Ｘ１の所有者の氏名「ＡＢ  Ｃ（漢字、アルファベット等の文字）」である。識別情報Ｙ１は、油性マジック等で識別情報領域Ｙ（環状帯部２Ｂの帯表面２ｃ）に記入され、又は識別情報領域Ｙ（環状帯部２Ｂの帯表面２ｃ）に刺繍で付する。
なお、識別情報Ｙ１は、泡立て具Ｘ１の所有者を特定できれば良く、氏名等の文字に限定されず、記号、図形等であっても良い。
【００２４】
泡立て具Ｘ１を使用する者（以下、「使用者」という）は、泡立て具Ｘ１（二重筒ネット本体５等）に水（又は湯）をかける。
続いて、使用者は、固形石鹸の洗剤を二重筒ネット本体５に擦り付け、又は洗顔クリーム、液体石鹸等の洗剤を二重筒ネット本体５にかける。使用者は、二重筒ネット本体５を手で揉んで、二重筒ネット本体５に付着した洗剤を泡立てる。
また、使用者は、固形石鹸を折返端部５Ｄ（開口端）から二重筒ネット本体５の収容空間Ｗ１（内側筒ネット部５Ｂ内側）に挿入し、固形石鹸及び二重筒ネット本体５を手で揉むことで、固形石鹸を泡立てることもできる。
【００２５】
使用者が二重筒ネット本体５を揉む際、筒ネット１の両端１Ａ，１Ｂ（両端重ね端部５Ｃ）、環状帯部材２の抜止結び目部２Ａ及び結束部材３は、二重筒ネット本体５内側（内側筒ネット部２Ｂ内側）に配置されるので、使用者の手に直接接触しない。
【００２６】
また、環状帯部材２において、環状帯部２Ｂを浴室等に配されるフック等に掛けることで、泡立て具Ｘ１を吊下げて保管でき、これにより、泡立て具Ｘ１を素早く乾燥でき、カビ等の発生を抑制して衛生的である。このとき、環状帯部材２は、結束部材３による結束、抜止結び目部２Ａ及び結束部材３の当接によって二重筒ネット本体５から抜出ない。
【００２７】
更に、使用者は、環状帯部材２の識別情報Ｙ１を目視することで、他人の泡立て具Ｘ１と取り間違うこともない。
【００２８】
泡立て具Ｘ１において、帯部材２は、環状帯部材（図１乃至図５参照）の構成に限定されず、図６に示すように、帯状布帛の両端部２２ａ，２２ｂのうち一端部２２ａを結んで、抜止結び目部２２Ａ及び帯状部２２Ｂを形成する帯状部材２２を採用しても良い。なお、図６において、図１乃至図５と同一符号は、同一部材、同一構成であるので、その詳細な説明は省略する。
【００２９】
帯状部材２２で泡立て具Ｘ１を構成する際、上記第１乃至第４段階で説明したと同様に、帯状部材２２、結束部材３及び筒ネット１を一体化して泡立て具Ｘ１を構成する。なお、泡立て具Ｘ１の第２段階において、帯状部材２２を二重筒ネット本体２内側に配置する。帯状部材２２は、二重筒ネット本体５の両端重ね端部５Ｃ側に配置され、抜止結び目２２Ａを両端重ね端部５Ｃに配置し、及び帯部２２Ｂを折返端部５Ｄ側に位置する。泡立て具Ｘ４の第４段階では、二重筒ネット本体５を裏返すと、帯部材２２は、帯部２２Ｂを二重筒ネット本体５外側に配置する（図６参照）。
【００３０】
図６において、泡立て具Ｘ１は、二重筒ネット本体５（筒ネット１）、帯部材２２、及び結束部材３を一体化して構成される。帯部材２２は、二重筒ネット本体５外側の帯部２２Ｂに、泡立て具Ｘ１の所有者の識別情報Ｙ１を付する識別情報領域Ｙを有して成る。識別情報領域Ｙは、帯部２２の帯表面２２ｃ又は帯裏面２２ｄとされ、帯部２２Ｂの帯幅Ｈ１及び帯長Ｌ１で規定される。識別地情報Ｙ１は、油性マジック等で識別情報領域Ｙに記入され、又は識別情報領域Ｙに刺繍で付する。
【００３１】
泡立て具Ｘ１は、筒ネット１、環状帯部材２（又は帯部材２２）及び結束部材３に加えて、環状リング（図示しない）を備える構成を採用しても良い。
泡立て具Ｘ１の第２段階前において、環状帯部材２（又は帯部材２２）の環状帯部２Ｂ（又は帯部２２Ｂ）を環状リングの内穴に挿通して、環状リングを抜止結び目部２Ａ（又は２２Ａ）に当接させて配置する。環状リングは、プラスチック等の合成樹脂で円環状に形成する。また、環状リングは、抜止結び目部２Ｂより大きい外周（外径）にされる。
泡立て具Ｘ１の第３段階において、結束部材３は、抜止結び目部２Ａ（又は２２Ａ）との間に環状リングを配置して、環状帯部２Ｂ（又は帯部２２Ｂ）の一部及び両側重ね端部５Ｃ側を結束する。
泡立て具Ｘ１の第４段階において、二重筒ネット本体５を裏返すと、両端重ね端部５Ｃ、抜止結び目部２Ａ（又は２２Ａ）、環状リング、及び結束部材３は、図１と同様、二重筒ネット本体５内側に配置され、環状帯部材２（又は帯部材２２）の環状帯部２Ｂ（又は帯部２２Ｂ）は二重筒ネット本体５外側に配置される。
環状帯部材２（又は帯部材２２）は、結束部材３、環状リング及び抜止結び目部２Ａ（又は２２Ａ）の協働によって抜止めされる。
【００３２】
＜第２実施形態＞
第２実施形態の泡立て具について、図７乃至図１１を参照して説明する。
なお、図７乃至図１１において、図１乃至図５と同一符号は同一部材、同一構成であるので、その詳細な説明は省略する。
【００３３】
図７乃至図１０において、第２実施形態の泡立て具Ｘ２（以下、「泡立て具Ｘ２」という）は、筒ネット１及び紐部材１３を備える。
【００３４】
紐部材１３は、繊維で形成され、柔軟性を有する。
【００３５】
図７乃至図１０において、泡立て具Ｘ２は、筒ネット１及び紐部材１３を一体にして構成され、以下、具体的に説明する。
【００３６】
先ず、泡立て具Ｘ１の第１段階と同様、筒ネット１の一端１Ｂを他端１Ａに折返し、二重筒ネット本体５を形成する（図３参照）。
二重筒ネット本体５は、外側筒ネット部５Ａ及び内側筒ネット部５Ｂで二重筒になる。二重筒ネット本体５は、両端重ね端部５Ｃ及び折返端部５Ｄを有する。二重筒ネット本体５は、両端部５Ｃ，５Ｄで開口する。
【００３７】
第２段階として、二重筒ネット本体５の両端重ね端部５Ｃ側を熱溶着（ヒートシール）する。熱溶着は、両端重ね部分５Ｃの合成樹脂材（又は合成樹脂繊維）を熱溶融して、筒ネット１の両端１Ａ，１Ｂ側を圧接する。熱溶着は、二重筒ネット本体５の中心軸ｂに直交する周方向（二重筒ネット本体５全周）にわたって両端１Ａ，１Ｂ側を溶着して、溶着部１４を形成する［図９（ａ）参照］。
これにより、二重筒ネット本体５は、熱溶部１４によって、両端重ね部５Ｃ側を閉鎖する。二重筒ネット本体５は、折返端部５Ｄで開口する［図９（ａ）参照］。
【００３８】
第３段階において、両端重ね端部５Ｃを閉鎖した二重筒ネット本体５を裏返す（図９参照）。
二重筒ネット本体５の折返端部５Ｄを両端重ね端部５Ｃ（溶着部１４）側に折返し、両端重ね端部５Ｃ（筒ネット１の両端１Ａ，１Ｂ）を裏返した二重筒ネット本体５内側（内側筒ネット部５Ａ内側）に配置する［図９（ｂ）参照］。
これにより、二重筒ネット本体５は、裏返によって、溶着部１４を閉鎖端とし、折返端部５Ｄを開口端とする。
なお、両端重ね端部５Ｃ側を閉鎖した二重筒ネット本体５を裏返すと、裏返前の外側筒ネット部５Ａは内側筒ネット部となり、裏返前の内側筒ネット部５Ｂは外側筒ネット部となる。
【００３９】
第４段階では、図１０に示すように、裏返した二重筒ネット本体５において、紐部材１３は、折返端部５Ｄ側の各筒ネット部５Ａ，５Ｂ間に挿通される。
各筒ネット部５Ａ，５Ｂ間において、紐部材１３は、二重筒ネット本体５の略全周に配置される。紐部材１３の両端部１３Ａ，１３Ｂは、外側筒ネット部５Ａの左側切込５ａ，５ｂから二重筒ネット本体５外側に引出される。左側切込５ａ，５ｂは、折返端部５Ｄ側の外側筒ネット部５Ｂに形成され、各筒ネット部５Ａ，５Ｂ間及び二重筒ネット本体２に開口する。左側切込５ａ，５ｂは、二重筒ネット本体５の周方向の左側に形成され、周方向に間隔を隔てて配置される。
続いて、引出した紐部材１３の両端部１３Ａ，１３Ｂを結んで、環状紐部材１５に形成する。環状紐部材１５は、各筒ネット部５Ａ，５Ｂ間及び二重筒ネット本体５外側に配置される。
【００４０】
泡立て具Ｘ２は、図７に示すように、二重筒ネット本体５（筒ネット１）、及び環状紐部材１５で構成され、二重筒ネット本体５において、熱溶着した溶着部１４（両端重ね端部５Ｃ側）を閉鎖端として、折返端部５Ｄを開口端とする。
また、泡立て具Ｘ２は、二重筒ネット本体５内側に収容空間Ｗ２を区画する。収容空間Ｗ２は、二重筒ネット本体５の開口端（折返端部５Ｄ）に開口する。
環状紐部材１５は、図７に示すように、二重筒ネット本体５の周方向において、両端部１３Ａ，１３Ｂを二重筒ネット本体５外側に配置する（引出す）。
泡立て具Ｘ２において、環状紐部材１５は、図７に示すように、二重筒ネット本体５外側の部位、例えば紐部材１３の端部１３Ａに、泡立て具Ｘ２の所有者の識別情報Ｚ１を付する領域Ｚ（以下、「識別情報領域Ｚ」という）を有して成る。
識別情報領域Ｚは、例えば、帯状布帛で構成される。識別情報領域Ｚ（帯状布帛）は、環状紐部材１５において、二重筒ネット本体５外側の部位に取付けられる。
識別情報Ｚ１は、例えば、泡立て具Ｘ２の所有者の氏名「ＡＢ  Ｃ（漢字、アルファベット等の文字）」である。識別情報Ｚ１は、油性マジック等で識別情報領域Ｚ（帯状布帛）に記入され、又は識別情報領域Ｚ（帯状布帛）に刺繍で付する。
なお、識別情報Ｚ１は、泡立て具Ｘ２の所有者を特定できれば良く、氏名等の文字に限定されず、記号、図形等であっても良い。
【００４１】
泡立て具Ｘ２を使用する者（以下、「使用者」という）は、二重筒ネット本体５に水（又は湯）をかける。
続いて、使用者は、固形石鹸の洗剤を二重筒ネット補体５に擦り付け、又は洗顔クリーム、液体石鹸等の洗剤を二重筒ネット本体５にかける。
使用者は、泡立て具Ｘ２の二重筒ネット本体５を手で揉んで、二重筒ネット本体５に付着した洗剤を泡立てる。
なお、使用者は、固形石鹸を折返端部５Ｄ（開口端）から二重筒ネット本体５の収容空間Ｗ２（内側筒ネット部５Ａ内側）に挿入し、二重筒ネット本体５及び固形石鹸を手で揉むことで、固形石鹸を泡立てることもできる。
【００４２】
更に、使用者は、二重筒ネット本体５外側の環状紐部材１５を掴んで、折返端部５Ｄ側を各筒ネット部５Ａ，５Ｂ間の環状紐部材１５に沿って移動することで、二重筒ネット本体５の折返端部５Ｄを窄めたり、広げたりできる。これにより、固形石鹸を二重筒ネット本体５の収容空所Ｗ２に挿入し、折返端部５Ｄを窄めることで、固形石鹸を二重筒ネット本体５から抜出すことなく、二重筒ネット本体５及び固形石鹸を揉んで、固形石鹸を泡立てることもできる。
【００４３】
使用者が二重筒ネット本体５を揉む際、筒ネット１の両端１Ａ，１Ｂ（両端重ね端部５Ｃ）は二重筒ネット本体５内側（内側筒ネット部５Ａ内側）に配置されるので、使用者の手に直接接触しない。
【００４４】
また、環状紐部材１５において、二重筒ネット本体５外側の部位を浴室等に配されるフック等に掛けることで、泡立て具Ｘ２を吊下げて保管でき、これにより、泡立て具Ｘ２を素早く乾燥でき、カビ等の発生を抑制して衛生的である。
更に、環状紐部材１５は、二重筒ネット本体５の溶着部１４側（閉鎖端側）でなく、折返端部５Ｄ側（開口端側）に配置されているので、固形石鹸を二重筒ネット本体５の収容空間Ｗ２に収容したまま、泡立て具Ｘ２を吊下げて保管できる。
【００４５】
また、使用者は、環状紐部材１５の識別情報Ｚ１を目視することで、他人の泡立て具Ｘ２と取り間違うこともない。
【００４６】
泡立て具Ｘ２において、紐部材１３は二重筒ネット本体５の略全周に配置する構成に限定されず、図１１に示すように、紐部材１３の一部を二重筒ネット本体５外側に配置する構成を採用しても良い。なお、図１１において、図７乃至図１０と同一符号は、同一部材、同一構成であるので、その詳細な説明は省略する。
【００４７】
図１１において、裏返した二重筒ネット本体５には、左側切込５ａ，５ｂ、及び右側切込５ｃ，５ｄを有する。各切込５ａ〜５ｄは、裏返した二重筒ネット本体５において、折返端部５Ｄ側の外側筒ネット部５Ｂに形成され、各筒ネット部５Ａ，５Ｂ間及び二重筒ネット本体５外側に開口する。左側切込５ａ及び右側切込５ｃは二重筒ネット本体５の略半周の間隔を隔てて配置され、左側切込５ｂ及び右側切込５ｄは二重筒ネット本体５の略半周の間隔を隔てて配置される。左側切込５ａ，５ｂは、二重筒ネット本体５の周方向の左側に位置して、二重筒ネット本体５の周方向に間隔を隔てて形成される。右側切込５ｃ，５ｄは、周方向の右側に位置して、二重筒ネット本体５の周方向に間隔を隔てて形成される。
【００４８】
泡立て具Ｘ２の第４段階において、紐部材１３の一端部１３Ａは、右側切込５ｃから各筒ネット部５Ａ，５Ｂ間に挿通され、紐部材１３の他端部１３Ｂは、右側切込５ｄから各筒ネット部５Ａ，５Ｂ間に挿通される。紐部材１３の両端部１３Ａ，１３Ｂは、左側切込５ａ，５ｂから二重筒ネット本体５外側に引出される。これにより、紐部材１３は、周方向の右側において、紐部材１３の一部を二重筒ネット本体５外側に配置する。紐部材１３の一部は、右側切込５ｃ，５ｄ間で二重筒ネット本体５外側に配置される。また、紐部材１５は、左側切込５ａ及び右側切込５ｃ間において、各筒ネット部５Ａ，５Ｂ間に配置（挿通）され、更に左側切込５ｂ及び右側切込５ｄ間において、各筒ネット部５Ａ，５Ｂ間に配置（挿通）される。続いて、引出した紐部材１３の両端部１３Ａ，１３Ｂを結んで、環状紐部材１５に形成する。
【００４９】
このように、二重筒ネット本体５の周方向の右側において、紐部材１３の一部を二重筒ネット本体５外側に配置すると、使用者は、二重筒ネット本体５外側の環状紐部材１５を掴んで、折返端部５Ｄ側を各筒ネット部５Ａ，５Ｂ間及び一部を二重筒ネット本体５外側に配置する環状紐部材１５に沿って移動することで、容易に折返端部５Ｄ側（開口端）を窄めたり、広げたりできる。
なお、図１１において、包立て具Ｘ２は、図７乃至図１０で説明した第１乃至第３段階と同様に、二重筒ネット本体５を形成し、両端重ね端部５Ａを熱溶着し、及び両端重ね端部５Ａを閉鎖した二重筒ネット本体５の裏返しを行う。
【００５０】
図１１において、泡立て具Ｘ２は、二重筒ネット本体５（筒ネット１）、紐部材１３を一体化して構成される。環状紐部材１５は、二重筒ネット本体５外側の部位に、帯状布帛でなる識別情報領域Ｚを有して成る。識別情報Ｚ１は、油性マジック等で識別情報領域Ｚに記入され、又は識別情報領域Ｚに刺繍で付する。
【産業上の利用可能性】
【００５１】
本考案は、洗顔クリーム、固形石鹸、液体石鹸等の洗剤を泡立てるのに最適である。
【符号の説明】
【００５２】
Ｘ１  泡立て具
１  筒ネット
１Ａ  筒ネットの一端（開口端）
１Ｂ  筒ネットの他端（開口端）
２  環状帯部材（帯部材）
２Ａ  抜止結び目部
２Ｂ  環状帯部
３  結束部材
５  二重筒ネット本体
５Ｃ  両端重ね端部
５Ｄ  折返端部
【図１】
0003187239.tif 000003
【図２】
0003187239.tif 000004
【図３】
0003187239.tif 000005
【図４】
0003187239.tif 000006
【図５】
0003187239.tif 000007
【図６】
0003187239.tif 000008
【図７】
0003187239.tif 000009
【図８】
0003187239.tif 000010
【図９】
0003187239.tif 000011
【図１０】
0003187239.tif 000012
【図１１】
0003187239.tif 000013